(57)【要約】【課題】簡易な構成で、内部の蒸れを防止できるとともに外部に水分が漏れ難くすることができるスポーツバッグを提供する。【解決手段】スポーツバッグ１において、被収納物を収納するためのバッグ本体部１０を備え、バッグ本体部１０は、バッグ本体部１０の底部１０ａよりも上側に、メッシュ材で形成されたメッシュ部分５０を有することを特徴とする。【選択図】図１
0003150137.tif 000002
【実用新案登録請求の範囲】
【請求項１】
被収納物を収納するためのバッグ本体部を備え、
前記バッグ本体部は、当該バッグ本体部の底部よりも上側に、メッシュ材で形成されたメッシュ部分を有することを特徴とするスポーツバッグ。
【請求項２】
請求項１に記載のスポーツバッグにおいて、
前記バッグ本体部は、当該バッグ本体部の内側を上下に仕切って、当該バッグ本体部を上側本体部と下側本体部とに分ける仕切り部を備え、
前記下側本体部に、前記メッシュ部分を備えることを特徴とするスポーツバッグ。
【請求項３】
請求項２に記載のスポーツバッグにおいて、
前記下側本体部を形成するシート材には、当該シート材の上端を切り欠くことによって形成された切欠部が設けられ、
前記メッシュ部分は、前記切欠部を前記メッシュ材で覆うことによって形成されていることを特徴とするスポーツバッグ。
【請求項４】
請求項３に記載のスポーツバッグにおいて、
前記切欠部の形状は、下側に向かって突出する円弧状であることを特徴とするスポーツバッグ。
【請求項５】
請求項４に記載のスポーツバッグにおいて、
前記バッグ本体部を装着するための肩掛けベルトを備え、
前記メッシュ部分は、前記バッグ本体部の前部又は側部に配置されていることを特徴とするスポーツバッグ。
【考案の詳細な説明】
【技術分野】
【０００１】
本考案は、スポーツバッグに関する。
【背景技術】
【０００２】
従来、スポーツ用品やアウトドア用品などを収納するためのスポーツバッグが知られている。スポーツバッグには、濡れたままのスポーツ用品やアウトドア用品などを収納する場合があり、この場合、スポーツバッグの内部が蒸れてしまう。
そこで、例えば、透湿性等を有する布帛を用いてなるスポーツバッグ（例えば、特許文献１参照）、水分吸着能力等が付与された繊維によって形成されたスポーツバッグ（例えば、特許文献２参照）等が提案されている。また、内部に収納される水に濡れたマリンスポーツ用品の水切りを可能にするべく少なくとも底部が網目織の織物（メッシュ織物）で形成されたスポーツバッグにおいて、緻密で不透水性の素材からなる底部カバーを備え、バッグの搬送時には、その底部カバーでその網目織部分を被覆できるスポーツバッグ（例えば、特許文献３参照）等も提案されている。
【先行技術文献】
【特許文献】
【０００３】
【特許文献１】特開２０００−１３６４８１号公報
【特許文献２】ＷＯ２００５／０７５０６８
【特許文献３】実開平６−７０６１９号公報
【考案の概要】
【考案が解決しようとする課題】
【０００４】
しかしながら、特許文献１や２に記載のバッグは、透湿性等を有する布帛や水分吸着能力等が付与された繊維といった新規の材料でバッグを形成することになるため、コストがかかる。
また、特許文献３に記載のバッグは、バッグ搬送時には底部カバーで網目織部分を被覆するため、内部に収納されているマリンスポーツ用品が乾いていない場合には、バッグの内部が蒸れてしまう。その一方で、バッグ内部の蒸れを防止するために底部カバーで網目織部分を被覆しないようにすると、網目織部分から水分が漏れてしまう。
【０００５】
本考案の課題は、簡易な構成で、内部の蒸れを防止できるとともに外部に水分が漏れ難くすることができるスポーツバッグを提供することにある。
【課題を解決するための手段】
【０００６】
上記課題を解決するために、請求項１に記載の考案は、
スポーツバッグにおいて、
被収納物を収納するためのバッグ本体部を備え、
前記バッグ本体部は、当該バッグ本体部の底部よりも上側に、メッシュ材で形成されたメッシュ部分を有することを特徴とする。
【０００７】
請求項２に記載の考案は、
請求項１に記載のスポーツバッグにおいて、
前記バッグ本体部は、当該バッグ本体部の内側を上下に仕切って、当該バッグ本体部を上側本体部と下側本体部とに分ける仕切り部を備え、
前記下側本体部に、前記メッシュ部分を備えることを特徴とする。
【０００８】
請求項３に記載の考案は、
請求項２に記載のスポーツバッグにおいて、
前記下側本体部を形成するシート材には、当該シート材の上端を切り欠くことによって形成された切欠部が設けられ、
前記メッシュ部分は、前記切欠部を前記メッシュ材で覆うことによって形成されていることを特徴とする。
【０００９】
請求項４に記載の考案は、
請求項３に記載のスポーツバッグにおいて、
前記切欠部の形状は、下側に向かって突出する円弧状であることを特徴とする。
【００１０】
請求項５に記載の考案は、
請求項４に記載のスポーツバッグにおいて、
前記バッグ本体部を装着するための肩掛けベルトを備え、
前記メッシュ部分は、前記バッグ本体部の前部又は側部に配置されていることを特徴とする。
【考案の効果】
【００１１】
本考案によれば、バッグ本体部は、メッシュ材で形成されたメッシュ部分を有しているため、バッグ本体部に濡れた物を収納しても、バッグ本体部の内部は蒸れない。
また、本考案によれば、メッシュ部分は、バッグ本体部の底部よりも上側に配置されているため、バッグ本体部に濡れた物を収納して、底部（バッグ本体部の底）に水分が溜まったとしても、その水分がメッシュ部分から漏れ難い。
したがって、バッグ本体部の底部よりも上側にメッシュ部分を設けるといった簡易な構成で、内部の蒸れを防止できるとともに、外部に水分が漏れ難くすることができる。
【図面の簡単な説明】
【００１２】
【図１】本考案を適用した一実施形態として例示するスポーツバッグの正面図である。
【図２】本考案を適用した一実施形態として例示するスポーツバッグの背面図である。
【図３】本考案を適用した一実施形態として例示するスポーツバッグの右側面図である。
【図４】本考案を適用した一実施形態として例示するスポーツバッグの右側面断面図である。
【考案を実施するための形態】
【００１３】
以下、図を参照して、本考案を実施するための最良の形態を詳細に説明する。なお、考案の範囲は、図示例に限定されない。
【００１４】
本考案にかかるスポーツバッグ１は、水着等の濡れたスポーツ用品やアウトドア用品などを収納して持ち運ぶのに適したバッグであり、具体的には、プールや海に行く際に使用するビーチバッグや、スポーツジムに行く際に使用するジムサックなどである。
スポーツバッグ１は、例えば、巾着袋状のバッグであり、リュックサック、ショルダーバッグ及び手提げバッグの３種類のバッグとして使用可能である。
ここで、スポーツバッグ１において、例えば、図１〜４に示すように、ユーザがスポーツバッグ１をリュックサックとして背負った際に、上になる側を上側、下になる側を下側、ユーザの背中と接する側を後側、後側と対向する側を前側とする。そして、上下方向と前後方向との双方に直交する方向を左右方向とする。
【００１５】
具体的には、スポーツバッグ１は、例えば、図１〜４に示すように、被収納物を収納するためのバッグ本体部１０と、バッグ本体部１０を装着するための肩掛けベルト６０，６０と、バッグ本体部１０を手から提げるための手提げベルト７０，７０と、を備えて構成される。
バッグ本体部１０は、例えば、ナイロン等の合成高分子繊維からなるシート材によって形成されている。バッグ本体部１０に濡れた物を収納して持ち運ぶ際に、バッグ本体部１０から水分が漏れるのを防止する等の観点から、バッグ本体部１０を形成するシート材としては、不透水性のシート材が好ましい。
肩掛けベルト６０及び手提げベルト７０は、例えば、ナイロン等の合成高分子繊維からなるベルト材によって形成されている。
【００１６】
＜バッグ本体部＞
バッグ本体部１０は、スポーツバッグ１を使用するユーザが荷物を収納するためのものである。
バッグ本体部１０は、略円形状の底部１０ａを有する袋状に形成されている。
バッグ本体部１０は、例えば、図４に示すように、バッグ本体部１０の内側を上下に仕切って、バッグ本体部１０を上側本体部２０と下側本体部３０とに分ける仕切り部４０を備えている。
ここで、スポーツバッグ１においては、下側本体部３０に、水着等の濡れた物を収納して、上側本体部２０に、服や財布などの濡れていない物や濡らしたくない物を収納するようになっている。
【００１７】
下側本体部３０は、例えば、図１〜４に示すように、メッシュ材で形成されたメッシュ部分５０を備えている。これにより、下側本体部３０に濡れた物を収納した際に、下側本体部３０の内部が蒸れるのを防止している。
具体的には、メッシュ部分５０は、バッグ本体部１０の底部１０ａよりも上側に配置されている。これにより、下側本体部３０に濡れた物を収納して、底部１０ａ（下側本体部３０の底）に水分が溜まった際に、その水分がメッシュ部分５０から漏れ難くなっている。
また、メッシュ部分５０は、バッグ本体部１０の前部に配置されている。これにより、下側本体部３０に濡れた物を収納して、スポーツバッグ１をリュックサックのように背負った際に、万が一、メッシュ部分５０から水分が漏れたとしても、ユーザが濡れてしまうのを防止している。
【００１８】
（上側本体部）
上側本体部２０は、例えば、上側本体部２０の前部と左右の側部前側とを形成する略矩形状の前側シート材２１と、上側本体部２０の後部と左右の側部後側とを形成する略矩形状の後側シート材２２と、上側本体部２０の底部を形成する仕切り部４０と、等により構成されている。
【００１９】
上側本体部２０は、例えば、前側シート材２１の左端部と後側シート材２２の左端部とを縫い合わせるとともに、前側シート材２１の右端部と後側シート材２２の右端部とを縫い合わせ、その後、前側シート材２１及び後側シート材２２の下端部を仕切り部４０の縁部に縫い付けることによって、略円形状の底部を有する袋状に形成されている。
【００２０】
前側シート材２１の上端部には、前側シート材２１を内側へ折ってその先端を前側シート材２１に縫い付けることによって形成された、肩掛けベルト６０，６０が挿通可能な挿通部２１１が設けられている。
また、後側シート材２２の上端部には、後側シート材２２を内側へ折ってその先端を後側シート材２２に縫い付けることによって形成された、肩掛けベルト６０，６０が挿通可能な挿通部２２１が設けられている。
【００２１】
後側シート材２２の外側における上側本体部２０の後部に相当する位置には、上下方向略中央から下端に亘って、略矩形状のポケット用シート材２３が取り付けられている。これにより、上側から物の出し入れが可能なポケットが形成されている。
【００２２】
仕切り部４０は、略円形状のシート材からなり、仕切り部４０の縁部には、仕切り部４０の形状（略円形状）を保持するための芯材４１が取り付けられている。
【００２３】
（下側本体部）
下側本体部３０は、例えば、下側本体部３０の前部と左右の側部と後部における左右方向中央部を除く部分とを形成する帯状シート材３１と、帯状シート材３１の上端部に取り付けられた、下側本体部３０に被収納物を収納する際などに開閉されるファスナー３２と、下側本体部３０の後部における左右方向中央部を形成する略矩形状の連結用シート材３３と、下側本体部３０の底部を形成するバッグ本体部１０の底部１０ａと、下側本体部３０の上部を形成する仕切り部４０と、等により構成されている。
【００２４】
下側本体部３０は、例えば、帯状シート材３１の上端部にファスナー３２の下端部を縫い付けて、帯状シート材３１及びファスナー３２の左端部と連結用シート材３３の左端部とを縫い合わせるとともに、帯状シート材３１及びファスナー３２の右端部と連結用シート材３３の右端部とを縫い合わせ、その後、ファスナー３２及び連結用シート材３３の上端部を仕切り部４０の縁部に縫い付けるとともに、帯状シート材３１及び連結用シート材３３の下端部を底部１０ａの縁部に縫い付けることによって、略円形状の上部及び底部を有する略円筒状に形成されている。
【００２５】
帯状シート材３１は、下側本体部３０の前部における左右方向中央部に相当する位置に、略半円形状のメッシュ部分５０を有している。
具体的には、帯状シート材３１には、帯状シート材３１の上端を切り欠くことによって形成された、下側に向かって突出する円弧状の切欠部３１１が設けられている。そして、この切欠部３１１を内側からメッシュ材で覆うことによって、メッシュ部分５０が形成されている。
【００２６】
帯状シート材３１の上端部（切欠部３１１を覆うメッシュ材の上端部も含む）は、帯状シート材３１の長手方向に沿って取り付けられた補強のための縁取り用シート材３４で覆われている。
そして、ファスナー３２は、帯状シート材３１の長手方向に沿うように、縁取り用シート材３４で覆われた帯状シート材３１の上端部（切欠部３１１を覆うメッシュ材の上端部も含む）に取り付けられている。
【００２７】
連結用シート材３３は、下側本体部３０を上側本体部２０に連結させるためのものである。
ここで、帯状シート材３１はファスナー３２を介して仕切り部４０（上側本体部２０）に取り付けられているのに対し、連結用シート材３３は直接、仕切り部４０（上側本体部２０）に取り付けられている。したがって、ファスナー３２を全開した場合であっても、下側本体部３０は連結用シート材３３によって上側本体部２０に連結されている。
また、連結用シート材３３の外側における下側本体部３０の後部に相当する位置の下端部には、肩掛けベルト６０が挿通可能なＤカン３５が、ベルト材３５１によって取り付けられている。
【００２８】
底部１０ａは、略円形状のシート材からなり、底部１０ａの縁部には、底部１０ａの形状（略円形状）を保持するための芯材１０ａ１が取り付けられている。
【００２９】
＜肩掛けベルト＞
肩掛けベルト６０は、スポーツバッグ１をリュックサックやショルダーバッグとして使用するユーザが肩にかけるためのものである。
【００３０】
肩掛けベルト６０の一端部６０ａは、当該肩掛けベルト６０を上側本体部２０が有する挿通部２１１，２２１に挿通した状態で、当該肩掛けベルト６０の所定位置に縫い付けられている。
これにより、上側本体部２０は、肩掛けベルト６０，６０を締めることによって上部（収納口）が閉じ、緩めることによって収納口が開く巾着袋として機能する。
ここで、一端部６０ａを縫い付ける所定位置は、肩掛けベルト６０における一端部６０ａと他端部６０ｂとの間の位置であれば任意であるが、肩掛けベルト６０，６０を緩めた際に、上側本体部２０の収納口を全開できる位置であるのが好ましい。
【００３１】
また、肩掛けベルト６０，６０の他端部６０ｂ，６０ｂは、互いに結び合わされている。
具体的には、例えば、スポーツバッグ１をリュックサックとして使用する場合は、一方の肩掛けベルト６０をＤカン３５に挿通した状態で、他端部６０ｂ，６０ｂ同士を結ぶようになっており、例えば、スポーツバッグ１をショルダーバッグとして使用する場合は、肩掛けベルト６０をＤカン３５に挿通しない状態で、他端部６０ｂ，６０ｂ同士を結ぶようになっている。
【００３２】
＜手提げベルト＞
手提げベルト７０は、スポーツバッグ１を手提げバッグとして使用するユーザが手で持ったり腕にかけたりするためのものである。
【００３３】
一方の手提げベルト７０は、前側シート材２１の上端部内側（例えば、内側に折った部分）における左右方向略中央部に取り付けられている。
また、他方の手提げベルト７０は、後側シート材２２の上端部内側（例えば、内側に折った部分）における左右方向略中央部に取り付けられている。
【００３４】
以上説明した本考案のスポーツバッグ１によれば、被収納物を収納するためのバッグ本体部１０を備え、バッグ本体部１０は、バッグ本体部１０の底部１０ａよりも上側に、メッシュ材で形成されたメッシュ部分５０を有している。
すなわち、バッグ本体部１０は、メッシュ部分５０を有しているため、バッグ本体部１０に濡れた物を収納しても、バッグ本体部１０の内部は蒸れない。
また、メッシュ部分５０は、バッグ本体部１０の底部１０ａよりも上側に配置されているため、バッグ本体部１０に濡れた物を収納して、底部１０ａ（バッグ本体部１０の底）に水分が溜まったとしても、その水分がメッシュ部分５０から漏れ難い。
したがって、バッグ本体部１０の底部１０ａよりも上側にメッシュ部分５０を設けるといった簡易な構成で、内部の蒸れを防止できるとともに、外部に水分が漏れ難くすることができる。
【００３５】
また、以上説明した本考案のスポーツバッグ１によれば、バッグ本体部１０は、バッグ本体部１０の内側を上下に仕切って、バッグ本体部１０を上側本体部２０と下側本体部３０とに分ける仕切り部４０を備え、下側本体部３０に、メッシュ部分５０を備えている。
すなわち、下側本体部３０に濡れた物を収納して、上側本体部２０に濡れていない物や濡らしたくない物を収納することができる。したがって、１つのバッグ本体部１０で、濡れた物と、濡れていない物や濡らしたくない物と、を別々に収納でき、好適である。
【００３６】
また、以上説明した本考案のスポーツバッグ１によれば、下側本体部３０を形成する帯状シート材３１には、帯状シート材３１の上端を切り欠くことによって形成された切欠部３１１が設けられ、メッシュ部分５０は、切欠部３１１をメッシュ材で覆うことによって形成されていることを特徴とする。
ここで、例えば、帯状シート材３１の上下方向略中央部を裁断して（くりぬいて）穴部を形成し、その穴部をメッシュ材で覆うことによって、メッシュ部分５０を形成する場合も考えられる。この場合と比較して、本考案のスポーツバッグ１のように帯状シート材３１を裁断して上端に切欠部３１１を形成する方が、裁断が容易であり、また、本考案のスポーツバッグ１のように帯状シート材３１の上端に形成された切欠部３１１を覆うメッシュ材を帯状シート材３１に縫い付ける方が、縫い付け動作が簡易である。
したがって、簡易に作製できるため、安価なスポーツバッグ１を提供することができる。
【００３７】
また、以上説明した本考案のスポーツバッグ１によれば、切欠部３１１の形状は、下側に向かって突出する円弧状である。すなわち、メッシュ材を帯状シート材３１に縫い付ける際の縫い目は、切欠部３１１に沿った円弧状となる。
ここで、切欠部３１１の形状が、例えば、下側に向かって突出するコ字状である場合も考えられる。この場合、切欠部３１１は角部を有するが、メッシュ材を角部にきれいに縫い付けるのは難しい。すなわち、この場合と比較して、本考案のスポーツバッグ１のようにメッシュ材を円弧状に縫い付ける方が、縫い付け動作が簡易である。
したがって、簡易に作製できるため、安価なスポーツバッグ１を提供することができる。
【００３８】
また、以上説明した本考案のスポーツバッグ１によれば、バッグ本体部１０を装着するための肩掛けベルト６０，６０を備え、メッシュ部分５０は、バッグ本体部１０の前部に配置されている。
すなわち、肩掛けベルト６０，６０を使用してバッグ本体部１０を装着した場合（特に、スポーツバッグ１をリュックサックのように背負った場合）に、バッグ本体部１０に濡れた物が収納されていても、メッシュ部分５０と装着者（ユーザ）とは接しないため、万が一、メッシュ部分５０から水分が漏れたとしても、ユーザが濡れてしまうことがなく、好適である。
【００３９】
なお、本考案は、上記した実施の形態のものに限るものではなく、その要旨を逸脱しない範囲で適宜変更可能である。
メッシュ部分５０がバッグ本体部１０の底部１０ａよりも上側に配置されているのであれば、メッシュ部分５０の形状、サイズ、個数、配置位置等は任意であるが、スポーツバッグ１をリュックサックのように背負った際に、ユーザが濡れてしまうのを防止する等の観点から、メッシュ部分５０は、スポーツバッグ１をリュックサックのように背負った際にユーザの背中と接する部分（後部）以外の部分、すなわち、バッグ本体部１０の前部又は側部に配置されているのが好ましい。
【００４０】
また、スポーツバッグ１は、リュックサック、ショルダーバッグ及び手提げバッグの３種類のバッグとして使用可能な、略円形状の底部１０ａを有する巾着袋状のバッグに限ることはなく、スポーツ用品やアウトドア用品などを収納できるバッグであれば任意である。
また、スポーツバッグ１は、上下に仕切られた２層構造に限ることはなく、仕切られていなくても良いし、３層以上に仕切られていても良い。
【産業上の利用可能性】
【００４１】
本考案は、スポーツ用品やアウトドア用品などを収納して持ち運ぶスポーツバッグ等に利用可能である。
【符号の説明】
【００４２】
１  スポーツバッグ
１０  バッグ本体部
１０ａ  底部
２０  上側本体部
３０  下側本体部
３１  帯状シート材（シート材）
４０  仕切り部
５０  メッシュ部分
６０  肩掛けベルト
３１１  切欠部
【図１】
0003150137.tif 000003
【図２】
0003150137.tif 000004
【図３】
0003150137.tif 000005
【図４】
0003150137.tif 000006